(57)【要約】【課題】元水として鉱水、水道水及び河川水等を用いて閉ループ式電気浸透流ポンプを稼働させると電気浸透材を隔てて陽極側駆動水と陰極側駆動水に分離される。これらの駆動水に切花を投入すると切花が大きな影響を受ける事が判明したことから閉ループ式電気浸透流ポンプが花瓶として有用であることが得られた。そして多種類の生花と駆動水の適合性を調べるため、または常用するための多数の閉ループ式電気浸透流ポンプが必要となることが見込まれ、これを廉価に製造する手段が課題となった。【解決手段】上記の課題の中心は電気浸透材であった。この点、市販の素焼き鉢を用いることで解決した。粘土の素焼き類は元来電気浸透材の性質があり市販の素焼き鉢は肉厚で駆動水の流量はかなり小さいが充分使用に耐えるものであった。廉価な花瓶と両駆動水の使い分けができるようになったため長期間の生花観賞が見込まれるようになった。【選択図】図１
2011030550.tif 000002
【特許請求の範囲】
【請求項１】
閉ループ式電気浸透流ポンプを稼働すると陽極側駆動水、及び陰極側駆動水の二種類の駆動水を生成するが、これらのうちの少なくとも一種類の駆動水に切花を投入することを特徴とする、閉ループ式電気浸透流ポンプを花瓶として使用する方法。
【発明の詳細な説明】
【技術分野】
【０００１】  本発明は閉ループ式電気浸透流ポンプを花瓶として使用する方法に関する。詳しくは閉ループ式電気浸透流ポンプを稼働すると陽極側駆動水、及び陰極側駆動水の二種類の駆動水を生成するがこれらのうち少なくても一種類の駆動水に切花を投入して，該ポンプを花瓶として使用する方法に関するものである。
【背景技術】
【０００２】  元水に鉱水、水道水や河川水等を使用して閉ループ式電気浸透流ポンプを稼働すると電気浸透材を隔てて陽極アルミニウム電極周辺に陽極側駆動水（ｐＨ＜７）と陰極軟鉄電極周辺に陰極側駆動水（ｐＨ＞７）が生成する。これらの駆動水に切花を投入すると切花が大きな影響を受ける事が判明した。一例を揚げるとある種の切花を陽極側駆動水に投入するとすぐ開花が進み元水に投入した同様の切花より早く満開になった。また他種のある切花を陰極側駆動水に投入すると枝葉が活気づき元水に投入した切花より長持ちした。これらの事から花の種類と水質との関連は不明であるが閉ループ式電気浸透流ポンプが花瓶として有用である事が得られた。
【発明の開示】
【発明が解決しようとする課題】
【０００３】  ある種の切花を上記いずれの側の駆動水に投入すれば成長するか、即ちこの切花の生活用水に適したものであるかまたは、萎れてしまうか即ち不適なものであるかの判定には多くの試行錯誤の試験が必要である。それには多数の閉ループ式電気浸透流ポンプが必要になる。閉ループ式電気浸透流ポンプの製造は特許文献１に基づいて作るのが良いがこの中の円筒濾紙型土器を製造することについては他の方法のいくつかを課題とした。【０００４】
【特許文献１】特願２００８−３０１６７８
【課題を解決するための手段】
【０００５】  上記、円筒濾紙型土器はこれに変わるものを検討した結果、市販の素焼き鉢が良い事が判明した。また、市販のものにはテラコッタ製、その他のものも多くあるがこれらも充分に閉ループ式電気浸透流ポンプの作用を果たす事がわかった。
【発明の効果】
【０００６】  図１は本発明の花瓶として稼働中の、閉ループ式電気浸透流ポンプに切花が投入されている装置全体の模式図である。特許文献１に基づく閉ループ式電気浸透流ポンプの円筒濾紙型土器の代替えに市販の素焼き鉢を用いたものである。
符号番号８；素焼き鉢に３；水頭ガイドを付け５；ノズルを出し９；シリカゲルを充填し１０；全体の容器内に設置、鉱水等の駆動水になる元水を入れ１；陽極アルミニウム電極と２；陰極軟鉄電極間に直流電流を印加すると８及び９の電気浸透材の作用によりにより水頭ガイド内の水が４；陰極側駆動水の水頭面まで上がり７；陽極側駆動水との間に水位差ができる。そのため５；ノズルから水滴となって７；陽極側駆動水の水面に滴下して駆動水は循環して閉ループ式電気浸透流ポンプを形成する。本発明はこの状態に１１；陰極側駆動水に適している切花及び、または１２；陽極側駆動水に適している切花を投入し花瓶とするものである。切花の数は複数でもまた同じ駆動水が適しているものであれば異種類の切花でもよい。閉ループ式電気浸透流ポンプ一台で水位の異なる水槽を有しその間を水が循環するのを見せ，これに花を添えるのがは本発明の花瓶の魅力である。
【発明を実施するための最良の形態】
【０００７】  本発明は閉ループ式電気浸透流ポンプを花瓶として使用する方法であり、そのために該ポンプ内の電気浸透材として市販の素焼き鉢を用いる事が最良の形態であった。本発明の閉ループ式電気浸透流ポンプを花瓶として使用するための原動力は印加電圧である。元来円筒濾紙型土器にシリカゲルを充填した電気浸透材を稼働させるには最低４０Ｖの電圧が必要であるとしている。そして一般家庭用電気の１００Ｖをトランス無しで直接整流して１４０Ｖ前後の電圧を印加している。そして電流を低く絞る方法である。電流の調節は、はじめ切花を投入しないで行うが１００ｍＡ以上流れる場合があってもその状態を維持して素焼き鉢の目詰まりで電流が低くなるのを待つ。以後は陽極アルミニウム電極の先端部分の陽極側駆動水に漬ける長さで調節する。陽極の金属アルミニウムは棒状または板状でも先端から溶解するように調節する。電流は１０〜２０ｍＡに抑え水温が上がらないように調節するのが好ましい。勿論トランスで電源を５０〜６０Ｖに下げて整流して本発明の装置に印加してもそれなりに低下させて稼働させる事はできる。次に実施例を示すが本発明を限定するものではない。
【実施例】
【０００８】  まず閉ループ式電気浸透流ポンプを組み立てた。電気浸透材には市販のテラコッタ製素焼き鉢２号「上口外径６．７ｃｍφ、６．０ｃｍＨ、（株）京橋園芸、江戸川区」を選定した。鉢底穴は水漏れがないように塞ぐ。外形６ｃｍφ、６ｃｍＬの塩ビ管製水頭ガイドを素焼き鉢に図１のように接着した。この塩ビ管には前もって鉢との接着面から上に４ｃｍの点に内径４ｍｍφのノズルを付けた。ノズルからの水滴の滴下位置に制限はないが外部から見える位置が好ましい。素焼き鉢にシリカゲル約１５ｇを入れ全体を１Ｌのトールビーカーに収めた。水道水を水頭ガイド内に注ぎノズルから水があふれてノズル口の下２ｃｍ位まで貯めた。陰極軟鉄電極は市販の軟鉄棒６ｍｍφｘ２５ｃｍＬを素焼き鉢内のシリカゲル層に立て、陽極アルミニウム電極は市販のアルミニウム棒７ｍｍφｘ２０ｃｍＬを素焼き鉢の外側に立てた。陽極棒も陰極棒も設定位置に制限はないが電流の短絡には注意を要する。印加電圧は一般家庭用１００Ｖを直接整流して使用した。直流１３６Ｖであった。初期の電流は１００ｍＡを超えたが最終的には１０ｍＡ前後に落ち着いた。ノズルからの滴下量は約１分で１滴（０．０５ｍＬ）であった。【０００９】  上記駆動水の循環が安定した後の陽極側駆動水（ｐＨ；５）への投入試験例を示す。
まず、ナスタチウムの切花を投入した。約半日で満開となり元水に入れたものよりずっと早かった。
次に、木槿の切花は１日で落花したがすぐ下の蕾が３日目に開花した。
菊の切花は２日目に萎れた。
その他，オリーブの枝葉を試験した。３日目に葉は萎れ茶色に変色した。元水に投入した該枝葉より早く萎れた。
次に陰極側駆動水（ｐＨ；９）の試験例を示す。
ナスタチウムの切花を投入したがすぐ萎れた。
木槿の切花は１日目に萎れた。すぐ下の蕾も開かなかった。
菊は開花の状態が７日続いた。元水に投入したものより長く持続した。
オリーブの枝葉は１４日間は萎れず変色もなかった。
【産業上の利用可能性】
【００１０】  本発明は閉ループ式電気浸透流ポンプを花瓶として使用する方法であり、電気浸透材として市販の素焼き鉢を用いた閉ループ式電気浸透流ポンプが廉価に大量に製造されるようになった。このことは，陽極側駆動水と陰極側駆動水各々と取り扱う全種の切花との適合性を見つけることにより本発明の花瓶の取り扱い台数が増える。また水の使用量も他の花瓶へ有効に循環される等大量使用する生花事業が盛んになるものと思われる。さらに水耕栽培等への応用も見込まれる。陰極側駆動水は水の電気分解により発生する水素で飽和しており、また陽極側駆動水は酸性であるため長期間腐敗しないので水の消費量は少ないし、またポンプが駆動中の時は陰極から水素を発生しているがその採取はし易い構造となっている。また陽極では水酸化アルミニウムを主体とする懸濁物を生成するがこれは資源として回収できる。
【図面の簡単な説明】
【００１１】
【図１】図１は本発明の花瓶として稼働中の、閉ループ式電気浸透流ポンプに切花が投入されている装置全体の模式図である。
【符号の説明】
【００１２】      １  陽極アルミニウム電極
２  陰極軟鉄電極
３  水頭ガイド
４  陰極側駆動水の水頭面
５  ノズル
６  陰極側駆動水の水面
７  陽極側駆動水の水面
８  素焼き鉢
９  シリカゲル充填層
１０  全体の容器
１１  陰極側駆動水へ投入された切花
１２  陽極側駆動水へ投入された切花
【図１】
2011030550.tif 000003